(57)【特許請求の範囲】
【請求項１】
被測定者の体重測定値と、測定日時とが関連付けされた測定データを取得するための体重取得手段と、
前記測定データに基づく就寝中の体重の変化量を用いて、目標日内変化量を算出する増減量算出手段と、
前記目標日内変化量に基づいて、被測定者の起床から就寝までのうち起床側の第１タイミングで測定した起床側体重値に対して就寝側の第２タイミングで就寝側体重値を測定する際の目標値を算出する目標取得手段と、
食事前の第３タイミングで測定した食事前体重値と、しきい値との比較の結果に基づき、前記目標値を達成するための食事に関するアドバイス情報を取得するアドバイス取得手段と、
取得される前記アドバイス情報を出力する手段と、を備える、体重管理装置。
【請求項２】
前記アドバイス取得手段は、前記しきい値を前記目標値を用いて導出する、請求項１に記載の体重管理装置。
【請求項３】
前記アドバイス取得手段は、
取得される複数の測定データから、各日の前記食事前体重値と前記就寝側体重値との差分を算出し、算出された各差分と前記目標値から、前記しきい値を算出する、請求項２に記載の体重管理装置。
【請求項４】
前記アドバイス取得手段は、
前記目標値と、前記しきい値とを含む所定範囲の体重値を、複数に区分する手段、を含み、
区分された体重値の各範囲に対応して異なる前記アドバイス情報が対応付けされて、
前記各範囲のうち前記食事前体重値が属する範囲に対応付けされている前記アドバイス情報を取得する、請求項３に記載の体重管理装置。
【請求項５】
前記算出された各差分の代表値を算出し、
前記目標値から前記代表値を減じることにより、前記しきい値を算出する、請求項３または４に記載の体重管理装置。
【請求項６】
前記増減量算出手段は、体重の日内目標増減量と、前記就寝中の体重の変化量とから、前記目標日内変化量を算出する、請求項１から５のいずれかに記載の体重管理装置。
【請求項７】
前記アドバイス情報は、食事量に関する情報を含む、請求項１から６のいずれかに記載の体重管理装置。
【請求項８】
前記アドバイス情報は、食事内容に関する情報を含む、請求項１から７のいずれかに記載の体重管理装置。
【請求項９】
前記第３タイミングの後の食事のそれぞれを撮影して得られる画像を取得する画像取得手段と、
前記就寝側体重値と前記目標値とに基づき、日内の目標を達成したか否かを判定する手段と、をさらに備え、
前記食事内容に関する情報は、前記食事を撮影して得られた画像を含む、請求項８に記載の体重管理装置。
【請求項１０】
前記食事内容に関する情報は、前記食事を撮影して得られた各画像のうち、前記日内の目標を達成したと判定された日の食事を撮影して得られた画像を含む、請求項９に記載の体重管理装置。
【請求項１１】
コンピュータを用いて被測定者の体重を管理する体重管理方法であって、
被測定者の体重測定値と、測定日時とが関連付けされた測定データを取得するステップと、
測定データをメモリに格納するステップと、
前記メモリから測定データを読出し、読出された測定データに基づく就寝中の体重の変化量から、目標日内変化量を算出するステップと、
前記目標日内変化量に基づいて、被測定者の起床から就寝までのうち起床側の第１タイミングで測定した起床側体重値に対して就寝側の第２タイミングで就寝側体重値を測定する際の目標値を算出するステップと、
食事前の第３タイミングで測定した食事前体重値と、しきい値との比較の結果に基づき、前記目標値を達成するための食事に関するアドバイス情報を取得するステップと、
取得される前記アドバイス情報を出力するステップと、を備える、体重管理方法。
【請求項１２】
コンピュータに体重管理方法を実行させるためのプログラムであって、
前記体重管理方法は、
被測定者の体重測定値と、測定日時とが関連付けされた測定データを取得するステップと、
測定データをメモリに格納するステップと、
前記メモリから測定データを読出し、読出された測定データに基づく就寝中の体重の変化量から、目標日内変化量を算出するステップと、
前記目標日内変化量に基づいて、被測定者の起床から就寝までのうち起床側の第１タイミングで測定した起床側体重値に対して就寝側の第２タイミングで就寝側体重値を測定する際の目標値を算出するステップと、
食事前の第３タイミングで測定した食事前体重値と、しきい値との比較の結果に基づき、前記目標値を達成するための食事に関するアドバイス情報を取得するステップと、
取得される前記アドバイス情報を出力するステップと、を備える、コンピュータに体重管理方法を実行させるためのプログラム。
【請求項１３】
被測定者の身体情報を測定する測定装置と、情報処理装置とを備える体重管理システムであって、
前記測定装置は、
被測定者の体重を測定する手段と、
体重測定値と、測定日時とを関連付けされた測定データを出力する手段と、を含み、
前記情報処理装置は、
前記測定装置から出力される前記測定データを受理する手段と、
前記測定データに基づく就寝中の体重の変化量から、目標日内変化量を算出する増減量算出手段と、
前記目標日内変化量に基づいて、被測定者の起床から就寝までのうち起床側の第１タイミングで測定した起床側体重値に対して就寝側の第２タイミングで就寝側体重値を測定する際の目標値を算出する目標取得手段と、
食事前の第３タイミングで測定した食事前体重値と、しきい値との比較の結果に基づき、前記目標値を達成するための食事に関するアドバイス情報を取得するアドバイス取得手段と、
取得される前記アドバイス情報を出力する手段と、を含む、体重管理システム。
【発明の詳細な説明】
【技術分野】
【０００１】
この発明は、体重管理装置に関し、特に、日内変動する被測定者の体重に基づく食事のアドバイスを提示する体重管理装置に関する。
【背景技術】
【０００２】
従来、被測定者は、体重計で体重を測定することで、体重が増加しているか減少しているかを確認しつつ、体重を管理する。
【０００３】
体重を他者に総合的に管理してもらうシステムが特許文献１（特開２００９-２８９０９６号公報）に示される。このシステムでは、対象者が測定した体重の変化を基に、カウンセラーの知識と経験から体重管理に関するアドバイスのメールを当該対象者に送信する。
【先行技術文献】
【特許文献】
【０００４】
【特許文献１】特開２００９−２８９０９６号公報
【発明の概要】
【発明が解決しようとする課題】
【０００５】
近年の健康志向から、減量などの体重管理を順調に進めるために、毎日、体重の日内変動を考慮した体重管理のアドバスの提供が求められている。しかしながら、特許文献１では、対象者は測定体重を設定された日数分以上記録して、記録したデータをカウンセラーに送信し、カウンセラーはこれを分析してアドバイスを返信するものであるため、当該要求に応えることはできなかった。
【０００６】
それゆえに、この発明の目的は、体重の日内変動を考慮しながら目標値となるような食事の情報を出力する体重管理装置を提供することである。
【課題を解決するための手段】
【０００７】
この発明に係る体重管理装置は、被測定者の体重測定値と、測定日時とが関連付けされた測定データを取得するための体重取得手段と、測定データに基づく就寝中の体重の変化量を用いて、目標日内変化量を算出する増減量算出手段と、目標日内変化量に基づいて、被測定者の起床から就寝までのうち起床側の第１タイミングで測定した起床側体重値に対して就寝側の第２タイミングで就寝側体重値を測定する際の目標値を算出する目標取得手段と、食事前の第３タイミングで測定した食事前体重値と、しきい値との比較の結果に基づき、目標値を達成するための食事に関するアドバイス情報を取得するアドバイス取得手段と、取得されるアドバイス情報を出力する手段と、を備える。
【発明の効果】
【０００８】
本発明によれば、体重の日内変動を考慮しながら目標値となるように食事の情報を提供することができる。
【図面の簡単な説明】
【０００９】
【図１】本発明の実施の形態に係る体組成計の外観を示す斜視図である。
【図２】本発明の実施の形態に係る体組成計とサーバとの構成を示すブロック図である。
【図３】本発明の実施の形態に係る制御部の機能構成図である。
【図４】本発明の実施の形態に係る記憶部に格納される各種データを説明する図である。
【図５】本発明の実施の形態に係る目標晩体重算出の概要を説明する図である。
【図６】本発明の実施の形態に係るメインフローチャートである。
【図７】本発明の実施の形態に係る記憶・分析処理のフローチャートである。
【図８】本発明の実施の形態に係る体重変化量を示す図である。
【図９】本発明の実施の形態に係る表示例を示す図である。
【図１０】本発明の実施の形態に係る食事量判定を説明する図である。
【図１１】本発明の実施の形態に係るアドバイスを例示する図である。
【図１２】本発明の実施の形態に係る食事前体重測定時の表示例を説明する図である。
【図１３】体重の日内変動を説明する図である。
【発明を実施するための形態】
【００１０】
以下、本発明の実施の形態について、図を参照して詳細に説明する。なお、以下に示す実施の形態においては同一または対応する部分に図中同一の符号を付し、その説明は繰返さない。
【００１１】
まず、用語を定義する。本実施の形態では体重測定に関する「朝時間」は、たとえば午前４時〜正午（昼の１２時）の時間帯を指し、「晩時間」は、たとえば午後７時〜午前２時の時間帯を指す。「朝体重」は、朝時間に測定される体重を指し、「晩体重」は晩時間に測定される体重を指す。
【００１２】
本実施の形態では、「就寝時間」は晩体重が測定される時間を指し、「起床時間」は朝体重が測定される時間を指す。本実施の形態では、１日に複数回の体重測定がされるが、少なくとも日内の起床側のあるタイミングで体重測定がされ、就寝側のあるタイミングで体重測定がされ、これ以外の食事前のタイミングで体重測定がされるとする。説明を簡単にするために、就寝するために床に入る直前に体重（晩体重）が測定され、起床の直後に体重（朝体重）が測定され、夕食前に体重測定がされると想定する。なお、「日内」とは、被測定者の起床時間から就寝時間までの一日を指す。
【００１３】
「夜間減少体重」とは、就寝時間から起床時間までの間における発汗などの主に基礎代謝によって減少する体重を指す。「日内目標増減量」とは、日内の目標とするべき体重の増減量を指す。「目標日内変化量」とは、「夜間減少体重」と「日内目標増減量」からなる体重の変化量を指す。
【００１４】
「夕食前時間」とは、晩体重を測定する前に摂る食事すなわち夕食前の時間を指す。「夕食前体重」は、夕食前時間に測定される体重を指す。
【００１５】
本実施の形態では、体重管理装置として、体重だけでなく生体インピーダンスを測定することにより体脂肪率などの体組成情報も取得することができる体重体組成計を例示するが、単に体重のみを測定する機能を有した装置であってもよい。
【００１６】
図１には、体重体組成計３の外観が示されて、図２には体重管理システム１の構成が示される。
【００１７】
図２の体重管理システム１は、体重体組成計３と、体重体組成計３および外部のカメラ部６と無線または有線で通信するサーバ（サーバコンピュータ）５を備える。図２では、説明を簡単にするために、サーバ５には１台の体重体組成計３が接続されるとしているが、複数台の体重体組成計３が接続されてもよい。なお、体重体組成計３およびカメラ部６とサーバ５との間でのデータの授受は通信によらず、記憶媒体を介して授受するようにしてもよい。
【００１８】
図１を参照して、体重体組成計３は、被測定者が手で持つ第１の匿体である表示操作部１０、被測定者が乗る第２の筐体である体重測定部３０とを備える。
【００１９】
表示操作部１０は、図２に示すように通信部１１、記憶部１２、計時部１３、操作部１４、表示部１５、定電流回路部１６、電源部１７、ＣＰＵ（Central Processing Unit）１８１を有する制御部１８、二重積分ＡＤ（Analog/Digital）部１９、インピーダンス検知部２０、電極部２１および音声出力部２２を含む。
【００２０】
通信部１１は、制御部１８に接続されており、該制御部１８からの制御信号に従ってサーバ５と通信する。なお、通信部１１は、サーバ５に限らず、歩数計などの他の生体情報取得装置と通信する、あるいはパーソナルコンピュータや携帯情報端末(ＰＤＡ（Personal Digital Assistants）、携帯電話機など)と通信するなど、適宜の装置と通信するとしてもよい。
【００２１】
記憶部１２は、不揮発性のメモリやハードディスクなどの情報を記憶できる装置を含む。記憶部１２は、接続された制御部１８から制御信号に従って情報の読出しと書込みがされる。
【００２２】
計時部１３は、現在日時を計時するタイマ・カウンタから構成される装置であり、必要に応じて計時した時間を制御部１８へ出力する。
【００２３】
操作部１４は、押下などの操作がされる複数のボタン・スイッチなど(図１参照)を含む。被測定者は操作部１４を操作することにより、ＩＤ、性別、年齢、身長、体重などの被測定者の個人情報・身体情報を入力することができる。入力されたこれら情報は、制御部１８へ出力される。
【００２４】
表示部１５は、液晶画面(図１参照)などの表示装置によって構成され、制御部１８から与えられる画像信号に従って文字や図形などの画像を表示する。
【００２５】
定電流回路部１６は、制御部１８の制御に基づいて、電源部１７から供給される高周波(交流)電流を電流印加用の電極部２１に一方向に流す。電源部１７は、制御部１８を含む各部に動作電力を供給する。
【００２６】
制御部１８は、ＣＰＵ１８１、および図示のないＲＯＭ（Read Only Memory）とＲＡＭ（Random Access Memory）を含むマイコン(マイクロコンピュータ)により構成されており、ＲＯＭ等に記憶されているプログラムおよび各種データに従って各部の制御動作や演算動作を実行する。このプログラムおよびデータには、体重管理のためのプログラムおよびデータが含まれる。
【００２７】
二重積分ＡＤ部１９は、二重積分型のＡＤ変換部である。動作においては、インピーダンス検知部２０から出力されるアナログ信号（電圧信号）をデジタル信号に変換して制御部１８に出力する。
【００２８】
インピーダンス検知部２０は、体重測定部３０に設けられている電極部３６と表示操作部１０に設けられている電極部２１との電位差に基づいて、被測定者の生体インピーダンスを検出する。
【００２９】
電極部２１は、被測定者が手で持つ表示操作部１０のグリップ部分(図１参照)の表面に設けられる。電極部２１は、グリップ部分を握っている被測定者の手のひらへ電源部１７から供給される高周波(交流)電流を印加する。
【００３０】
体重測定部３０は、操作部３１、電池３２、荷重検知部３３、および電極部３６を含む。操作部３１は、電源のＯＮ／ＯＦＦを切り替えるために操作される入力スイッチとして機能し、操作部３１は操作されると操作に応じた入力信号を制御部１８に出力する。
【００３１】
電池３２は、電源部１７を中心に各部へ電力を供給する。
荷重検知部３３は、複数のロードセル３４を内蔵する。筐体の上面カバーを兼ね備える上面カバー部３５(図１参照)の上に乗った被測定者の体重を測定する。測定された体重は、二重積分ＡＤ部１９に出力される。
【００３２】
電極部３６は、被測定者が乗る体重測定部３０の上面部分(図１参照)の表面に設けられており、被測定者の足裏から流れてくる電流を検出する電流測定用の電極である。電極部３６は、被測定者の左足指側、左足踵側、右足指側、右足踵側に接触する４つの電極を含む。
【００３３】
荷重検知部３３のロードセル３４のそれぞれは、体重測定部３０の上面部分にかかる荷重を測定可能なように、ここでは、電極部３６の各電極の下部に配置される。したがって、上面部分に被測定者が乗った場合に、生体インピーダンスと体重の両方を測定することができる。
【００３４】
体重測定において、各ロードセル３４には、被測定者の体重による荷重がかかる。各ロードセル３４は、かけられる荷重に応じて変形する金属部材からなる歪体と、歪体に張られた歪ゲージとからなる。歪体が歪むと、歪ゲージが伸縮して歪ゲージの伸縮に応じて抵抗値が変化し、その抵抗変化は荷重信号出力として取得される。したがって、被測定者が上面部分に乗って、両足が各ロードセル３４にかかった場合、ロードセル３４にかけられる被測定者の体重により歪体が歪むと、上述の荷重信号出力の変化として体重が測定される。
【００３５】
なお、荷重を検出するための荷重センサとして、本実施の形態では、ロードセル３４を利用しているが、上面部へ加えられた力の量が検出できるものであれば、たとえば、ばねやピエゾフィルムを利用したセンサや、圧縮素子、変位センサなどであってもよい。
【００３６】
サーバ５は、現在時間を計時するタイマ５０、体重体組成計３と通信するための通信部５１、ＣＰＵ５２１、ＲＯＭ、ＲＡＭを有するコンピュータからなる制御部５２、操作部５３、表示部５４、記憶部５５およびカメラ部６と通信するためのカメラＩ／Ｆ（Interface）５６を含む。ここでは、タイマ５０と計時部１３とは同期した計時動作を行なうように調整されると想定する。
【００３７】
通信部５１は、制御部５２の制御に従って体重体組成計３とデータを送受信する。制御部５２のＣＰＵ５２１は、ＲＯＭなどに記憶されているプログラムおよびデータに従って各部の動作を制御するとともに、各種の演算を実行する。
【００３８】
操作部５３は、キーボードやマウスなどを含む。オペレータにより操作されることにより入力された信号は、制御部５２に出力される。
【００３９】
表示部５４は、液晶ディスプレイやＣＲＴ（Cathode Ray Tube）ディスプレイなどに相当する。表示部５４は、制御部５２から与えられる制御信号に従って絵・文字などの画像を表示する。
【００４０】
記憶部５５は、ハードディスクなどの固定の記憶装置、またはフレキシブルディスク、ＣＤ−ＲＯＭ（Compact Disk Read Only Memory）、ＲＯＭ（Read Only Memory）、ＲＡＭ（Random Access Memory）およびメモリカードなどのＣＰＵ５２１のコンピュータが読取り可能な記録媒体に相当する。
【００４１】
記憶部５５は、体重体組成計３で測定したデータ(体組成情報、体重データ、測定日時データなど)、被測定者の氏名（ＩＤ）や住所といった個人情報など、被測定者に関する種々のデータ、ならびに後述するレコード５５１が記憶される。
【００４２】
図３を参照して、体重体組成計３の体重管理に係る機能構成について説明する。ＣＰＵ１８１は、目標取得部１８２、演算部１８３、目標達成度を評価する評価部１８４、体重管理に関するアドバイスを取得するアドバイス取得部１８５、および測定結果およびアドバイスを表示または音声で出力するための出力処理部１８６を含む。これらの各部は、ＣＰＵ１８１によって実行されるプログラムにより実現される。このプログラムは、制御部１８の図示のないＲＯＭに予め格納されている。ＣＰＵ１８１は、ＲＯＭからプログラムを読出し、読出したプログラムの命令を実行することにより、各部の機能が実現される。
【００４３】
目標取得部１８２は、就寝中の体重値の変化量である夜間減少体重と、体重値の日内目標増減量とを含む体重値の目標日内変化量を取得する。目標取得部１８２は、増減量算出部１８８を含む。目標取得部１８２は、目標日内変化量に基づき、被測定者の起床から就寝までのうちの起床側の第１タイミング（朝時間）で測定した起床側体重値に対して、就寝側の第２タイミング（晩時間）で就寝側体重値を測定する際に、その目標となるべき日内目標値（以下、目標晩体重という）を算出する。増減量算出部１８８は、後述の日内目標増減量を算出する。
【００４４】
アドバイス取得部１８５は、目標達成判定部１８９を有する。目標達成判定部１８９は、測定体重の変化量を算出する変化量算出部１９０を含む。
【００４５】
（記憶データ）
図４を参照して、記憶部１２に格納される各種データを説明する。体重測定部３０により測定される体重はレコード４０を用いて管理される。記憶部１２は、レコード４０を、複数週間分または複数月分を記憶可能な容量を有する。
【００４６】
レコード４０には、実際に測定された体重値を指すデータ４０１、各データ４０１に対応付けて計時部１３の計時データに基づいた体重測定の日時を指すデータ４０３、およびフラグ４０４が格納される。さらに当該レコード４０のデータ４０１の体重に基づき算出される体重変化量のデータ４０５Ａ，４０５Ｂおよび４０５Ｃ、ならびに目標達成度の評価結果を指す達成評価のデータ４０６が対応付けて格納される。
【００４７】
フラグ４０４は、対応のデータ４０１が指す体重が、朝体重、晩体重、および食事前体重のいずれであるかを指すフラグを含む。具体的には、図中、お日様マークは朝体重のフラグを指し、スプーンマークは食事前体重のフラグを指し、お月様マークは晩体重のフラグを指す。
【００４８】
図４の（Ｂ）に示す標準日内変動量データ４１は、被測定者の標準的な日内変化量を指す。この標準日内変化量は、演算部１８３により過去の測定データを格納するレコード４０（１週間分あるいは２週間分）を基に算出する。この算出は、次のように算出すると良い。
【００４９】
すなわち、晩体重から翌日の朝体重を減算することで、就寝中に変動した体重を示す夜間減少体重を算出し、この夜間減少体重を複数日分算出してその平均値を算出し、該平均値を標準日内変化量とすることができる。
【００５０】
なお、標準日内変化量を算出する他の方法として、演算部１８３は、インピーダンス検知部２０で検出する被測定者の生体インピーダンスから求めた基礎代謝量（Ｋcal）を利
用することができる。なお、基礎代謝量の算出方法は公知の手順に従う。一般に、脂肪１ｇを消費するには９Ｋｃａｌ（ただし、人の脂肪は２０％は水分を含むため、おおよそ７Ｋｃａｌ）が必要とされ、炭水化物１ｇを消費するには４Ｋｃａｌ、たんぱく質１ｇを消費するには４Ｋｃａｌ必要とされることから、演算部１８３は、これらの消費Ｋｃａｌと、算出された基礎代謝量と、睡眠時間（就寝時間〜起床時間までのトータル時間）から、夜間体重減少量を算出することができる。この夜間減少体重を複数日分算出してその平均値を算出し、該平均値を標準日内変化量とすることができる。
【００５１】
なお、標準日内変化量を、被測定者毎に算出するものに限定されず、予め定められた一般人の日内変化量の固定値に設定しておくこともできる。
【００５２】
図４の（Ｃ）には目標設定日データ４２が示される。目標設定日データ４２は、被測定者が体重体組成計３を用いてダイエットなどの体重管理を開始した日付けであって、被測定者が操作部１４を操作して入力した日付けを指す。
【００５３】
図４の（Ｄ）に示す長期目標増減量データ４３は、被測定者が操作部１４を操作することにより入力した体重増減量の目標値を指す。たとえば、減量したい場合であればマイナス値が入力され、体重維持したい場合であれば０が入力され、体重を増量したい場合であればプラス値が入力される。なお、増減量でなく、目標の体重値であってもよい。
【００５４】
図４の（Ｅ）に示す目標達成期間データ４４は、被測定者が操作部１４を操作することにより設定した目標達成期間を指す。目標達成期間は、長期目標増減量の達成をどれくらいの期間で実現したいかを示す期間である。
【００５５】
この目標達成期間が入力設定されるとき、目標取得部１８２は、長期目標増減量を目標達成期間の日数で除算した一日のノルマとなる日内増減量が所定範囲内に収まるか否か適正判定を実行する。そして、適正判定で所定範囲外と判定した場合、表示部１５にエラー表示する。そして、所定範囲内と判定されるまで被測定者に対して目標達成期間の再入力を促す。これにより、体に負担のかかる無理なダイエットなどを抑制することができる。
【００５６】
体重の変動に関して、発明者の実験によれば、健康な成人であれば、１ヶ月間の減量（または増量）は、現在体重の所定範囲内の増減率、すなわち２％〜１０％の量に留めることが健康を害さない量であるとの知見を得た。したがって、本実施の形態では、１ヶ月間の減量（または増量）が、現在体重の２％〜１０％の量となるように決定される。
【００５７】
図４の（Ｆ）に示す日内目標増減量データ４５は、増減量算出部１８８が長期目標増減量を目標達成期間で除算することにより算出した値が設定される。この日内目標増減量データ４５により、目標どおりに体重の増減が進んでいるか否かを１日単位で確認することや、その日の目標晩体重を算出することができる。
【００５８】
図４の（Ｇ）に示すアドバイスのデータ４６は、アドバイス取得部１８５によって参照（読出）される。ここでは、アドバイスのデータ４６に示す各アドバイスは、予め編集された記憶部１２に格納されると想定するが、アドバイス取得部１８５が、編集するようにしてもよい。
【００５９】
（目標晩体重の算出手順）
ここで、図５を参照して、ダイエット（体重減量）目的の体重管理をする場合における、目標晩体重の算出方法について説明する。
【００６０】
図５の（Ａ）に示すように、一般に被測定者の朝体重と晩体重は日内で変動する。図５の（Ａ）に示す日内変動に着目すると、図５の（Ｂ）に示すように、朝体重は起床時の測定体重であるので日内の最低体重とみなすことができることから、図５の（Ｂ）に示すように、その日の朝体重と翌日の朝体重の差分を調整するべき量、すなわち１日の減量目標として決定することができる。したがって、その日の目標晩体重は、その日の朝体重に１日の減量目標を加算することによって算出することができる。
【００６１】
本実施の形態では、この１日の減量目標を目標日内変化量とし、この目標日内変化量を、データ４１の標準日内変化量（「夜間減少体重」の平均）とデータ４５の「日内目標増減量」とを加算することにより算出する。
【００６２】
（処理手順）
図６と図７は、体重体組成計３の制御部１８のＣＰＵ１８１が実行する動作を示すフローチャートである。ここで、本実施の形態に係る体重管理を実行するための処理を、これらのフローチャートに従って説明する。これらフローチャートは、予めプログラムとして制御部１８内のメモリまたは記憶部１２に格納されており、ＣＰＵ１８１がプログラムを読出し、その命令を実行することにより処理が実現される。
【００６３】
なお、記憶部１２には、図４に示したデータ４１〜データ４６が予め格納されていると想定する。また、記憶部１２には、目標設定日データ４２が指す日付けから、たとえば５日分のレコード４０が格納されていると想定する。したがって、ここでは６日目の体重測定を想定して説明する。また、被測定者は、毎日、朝時間、夕食前時間および晩時間のそれぞれにおいて、体重を測定すると想定する。
【００６４】
図６を参照して、ＣＰＵ１８１は、被測定者による操作部１４の操作による電源ＯＮの指示を入力して起動し（ステップＳ１）、上面カバー部３５（図１参照）に乗った被測定者の体重を荷重検知部３３により測定する（ステップＳ２）。このとき、ＣＰＵ１８１は、体重測定部３０の電極部３６と表示操作部１０の電極部２１を通じて、インピーダンス検知部２０（図２参照）によって検知される生体インピーダンスに基づき体組成情報を算出することができる。
【００６５】
その後、ＣＰＵ１８１は、記憶・分析処理を実行し（ステップＳ３）、電源をＯＦＦして（ステップＳ４）、処理を終了する。
【００６６】
（記憶・分析処理）
図７は、記憶・分析処理（図６のステップＳ３参照）のフローチャートである。図７を参照してＣＰＵ１８１は、前述のステップＳ２で体重測定した日時である現在日時のデータを計時部１３から取得し、現在日時が朝時間、晩時間および夕食前時間のいずれに該当するかを判定する（ステップＳ２１）。朝時間および晩時間のデータは予め制御部１８内のメモリに格納されていると想定する。メモリから読出した朝時間および晩時間のデータと、現在日時のデータとを比較することにより、判定することができる。
【００６７】
朝時間と判定されると（ステップＳ２１で“朝”）、ＣＰＵ１８１は、ステップＳ２３で測定した体重を朝体重として格納するレコード４０を生成し、生成したレコード４０を記憶部１２に格納する。このレコード４０は、測定した朝体重を指すデータ４０１、現在日時を指すデータ４０３および“朝”を指すフラグ４０４を含む。
【００６８】
レコード４０が格納されると、目標取得部１８２は図５で説明した手順に従って目標晩体重を算出し、記憶部１２に格納する（ステップＳ２４）。
【００６９】
出力処理部１８６は、算出した目標晩体重と、ステップＳ２で測定した朝体重との表示項目を含む画面を、表示部１５に表示する（ステップＳ２５）。表示画面の一例が、図９の（Ａ），（Ｄ）に示される。これらの画面には、表示項目として、さらに、両体重の差分を算出して同時に表示するようにしてもよく、その場合には、被測定者は目標達成の目安を把握し易くなる。
【００７０】
次に、変化量算出部１９０により夜間変化量を算出し、算出された夜間変化量のデータ４０５Ｃを朝体重と対応付けてレコード４０に格納する（ステップＳ２６）。夜間変化量４０５Ｃは、（今朝の朝体重−前日の晩体重）の演算により算出される。その後、処理は図６のステップＳ４に戻る。
【００７１】
ステップＳ２１で晩時間と判定された場合(ステップＳ２１で“晩”)、ＣＰＵ１８１は、ステップＳ２で取得した測定体重を晩体重としてレコード４０に格納する（ステップＳ２７）。具体的には、レコード４０には、測定した晩体重を指すデータ４０１、現在日時を指すデータ４０３および“晩”を指すフラグ４０４が格納される。
【００７２】
晩体重が格納されると、評価部１８４は、記憶部１２のレコード４０に基づき、目標の達成度を評価し、評価結果を当該レコード４０にデータ４０６として格納する（ステップＳ２８）。具体的には、評価部１８４は、測定された晩体重から、本日、ステップＳ２４で算出された目標晩体重を引いた値を算出し、算出値が０または負を指すと判定すると目標達成と評価し、０より大きい値を指すと判定すると目標未達成と評価する。そして、目標達成と評価したときは、レコード４０にデータ４０６として“ＯＫ”を格納し、目標未達成と評価したときは“ＮＧ”を格納する。
【００７３】
出力処理部１８６は、上述の評価結果を含む画面を表示部１５に表示する（ステップＳ２９）。表示画面の一例が、図９の（Ｃ），（Ｆ）に示される。これらの画面は、表示項目として、測定された晩体重と、上述の算出値と、評価結果を含む。この例では、（晩体重−目標晩体重）の算出値は０以下（−０．２ｋｇ）であるから評価結果として“達成”の文字が表示される。なお、目標晩体重を同時に表示してもよく、または算出値に代替して表示してもよい。評価結果は、音声で出力してもよい。算出値が０より大きい正の値であり目標達成していない場合には、“達成”の文字に代替して“未達成”の文字が表示され、また音声出力される。
【００７４】
ここでは、評価は（晩体重−目標晩体重）の算出値と値０との比較であったが、評価のための判定値は０に限定されない。
【００７５】
次に、変化量算出部１９０は夕食変化量４０５Ｂと日中変化量４０５Ａを算出し、算出された夕食変化量４０５Ｂと日中変化量４０５Ａをレコード４０に格納する（ステップＳ３０）。夕食変化量４０５Ｂは、（晩体重−夕食前体重）の演算により算出され、日中変化量４０５Ａは、（晩体重−朝体重）の演算により算出される。その後、処理は図６のステップＳ４に戻る。
【００７６】
ステップＳ２１に戻り、朝時間および晩時間のいずれにも該当しない、すなわち“夕食前”と判定されると（ステップＳ２１で“夕食前”）、ＣＰＵ１８１は、ステップＳ２で取得した測定体重を夕食前体重としてレコード４０に格納する（ステップＳ３１）。具体的には、レコード４０に、測定した体重を指すデータ４０１、現在日時を指すデータ４０３および“夕食前”を指すフラグ４０４を対応付けて格納する。
【００７７】
目標達成判定部１８９は、目標達成の有無を判定する（ステップＳ３３）。つまり、（夕食前体重−目標晩体重）に従う演算をし、その算出値が０以下であると、現在体重が目標晩体重を超えていないことから目標の“達成”と判定し（ステップＳ３４で“達成”）、アドバイス取得部１８５は判定結果に基づき、データ４６を検索し“達成”のアドバイスを取得する（ステップＳ３５）。また、その算出値が０より大きいと、既に目標晩体重を超えていることから目標の“未達成”（オーバ）と判定し（ステップＳ３４で“未達成”）、アドバイス取得部１８５は判定結果に基づき、データ４６を検索し“未達成”のアドバイスを取得する（ステップＳ３６）。取得されたアドバイスは、出力処理部１８６により表示部１５に表示される（ステップＳ３８，ステップＳ３９）。表示画面の一例として“達成”の画面が図９の（Ｂ）に示され、“未達成”の画面が図９の（Ｅ）に示される。画面表示後は、図６のステップＳ４の処理に移行する。
【００７８】
図９の（Ｂ）では、“達成”の表示とともに、“いつもの夕食量が適量であることと、食べ過ぎに注意するように”とのアドバイス９１がデータ４６から読出されて音声で出力される。図９の（Ｅ）では、体重が目標を“オーバ”しているとのメッセージ表示とともに、“夕食量は控えめにするように”と促すアドバイス９２がデータ４６から読出されて音声で出力される。アドバイス９１，９２は音声に限らず表示部１５に表示されてもよい。
【００７９】
（目標達成の他の判定方法）
目標達成判定部１８９による判定（ステップＳ３３）の他の方法について説明する。上述の処理では、当該判定のためのしきい値として目標晩体重を用いたが、これに限定されず、目標晩体重から導出（算出）されるしきい値を用いてよい。
【００８０】
本実施の形態では、毎日１個のレコード４０が生成されて、当該レコード４０にその日の朝，夕食前および晩に測定された体重が格納される。説明のために、図８の（Ａ）に、図４の（Ａ）の各レコード４０に基づく測定体重の時系列の変化を示し、図８の（Ｂ）に、測定日毎に夕食変化量を棒グラフで示し、そして図８の（Ｃ）に、測定日毎に夜間変化量を棒グラフで示す。
【００８１】
目標達成判定部１８９は、目標達成を判定するためのしきい値として、記憶部１２の過去の一定期間のレコード４０の夕食変化量４０５Ｂに基づく夕食変化量を用いて導出する。具体的には、夕食変化量の代表値を用いる。ここでは、代表値として平均値を算出するが、平均値に限定されず最頻値でもよく、または中央値でもよい。なお、しきい値の算出には、被測定者独自の夕食変化量に代替して、実験により予め取得した一般的な夕食変化量の値を用いても良い。
【００８２】
目標達成判定部１８９は、（目標晩体重−平均夕食変化量）の算出結果に基づき、判定のための基準を設定する。図１０を参照して設定手順を説明する。
【００８３】
図１０を参照して、目標達成判定部１８９は目標晩体重を１００％（ここでは、１００％体重という）に、および（目標晩体重−平均夕食変化量）に従う算出値を５０％にそれぞれ対応付けた場合の、０％に対応の体重値（ここでは、０％体重と呼ぶ）を算出する。
【００８４】
目標達成判定部１８９は、０％体重を算出後に、１００％体重と０％体重とに基づき、４０％および８０％のそれぞれに相当する体重（ここでは、４０％体重および８０％体重と呼ぶ）を算出する。そして、０％体重以上４０％体重未満をランクＰ３、４０％体重以上８０％体重未満をランクＰ２および８０％体重以上をランクＰ１と複数に区分する。
【００８５】
目標達成判定部１８９は、ステップＳ３１で測定された夕食前体重が、ランクＰ１，Ｐ２およびＰ３のいずれの区分に該当するかを判定し、判定結果をアドバイス取得部１８５に出力する。
【００８６】
アドバイス取得部１８５は、入力する判定結果に基づきデータ４６を検索し、該当するランクの区分に予め対応付けされたアドバイスをデータ４６から読出す。ここでは、ランクＰ１、Ｐ２およびＰ３に対応して図１１の（Ａ）〜（Ｃ）のアドバイスＭ１〜Ｍ３のそれぞれが取得される。
【００８７】
アドバイスＭ１は、夕食前体重が８０％体重以上を指し、夕食量によっては目標晩体重を超える可能性が十分にあることから、その旨のアドバイス（目標晩体重をオーバする可能性があること、夕食量を控えること、食後の運動を促す、など）を含む。アドバイスＭ２は、夕食前体重が４０％体重以上８０％体重未満を指すので食べ過ぎなければ目標晩体重を超えることはない（目標達成の可能性が十分にある）ことから、その旨のアドバイス（目標達成の可能性があること、食べ過ぎに注意し適量を心がける、など）を含む。アドバイスＭ３は、夕食前体重が０％体重以上４０％体重未満を指すので順調に体重管理できている（目標達成の可能性が十分にある）ことから、その旨のアドバイス（順調な体重管理であること、体重の減らしすぎに留意する、など）を含む。これらのアドバイスは音声で出力されてもよい。
【００８８】
図１２には、図１１の（Ａ）のアドバイスＭ１の表示例が示される。図１２の（Ａ）では朝測定における朝体重（５０．７ｋｇ）とともに目標晩体重（５１．３ｋｇ）が表示されている。このケースにおいて夕食前測定の表示例が図１２の（Ｂ）に示される。図１２の（Ｂ）では、測定された夕食前体重（５１．２ｋｇ）とともに、アドバイスＭ１が表示されている。
【００８９】
被測定者は、夕食前測定においてアドバイスＭ１〜Ｍ３を確認することで、目標達成のための夕食の量（適量）を把握することができる。
【００９０】
なお、夕食前測定時に出力するアドバイスの取得に際して図１０で説明した３段階のランクを割当てたが、ランク割当てはこれに限定されない。たとえば、（（夕食前体重＋平均夕食変化量）＞目標晩体重）の条件が成立するか否かを判定し、判定結果に基づき条件成立する場合には“目標未達成”の可能性を知らせるアドバイスを出力し、条件不成立の場合には“目標達成の可能性があり順調に体重管理できている”ことを知らせるアドバイスを出力するようにしてもよい。
【００９１】
このようにステップＳ３３の判定方法には各種の方法を適用できるが、判定に用いる方法は変更可能である。
【００９２】
本実施の形態では、標準日内変動量データ４１を被測定者毎に正確に設定することができる。つまり、図１３の（Ａ）に示すように、被測定者の晩体重から朝体重を減算して就寝中体重変化量を算出し、複数日分の就寝中体重変化量の平均値を算出することで、実際の被測定者の体重増減量に基づいて標準日内変動量データ４１を定めることができる。
【００９３】
さらに、この算出方法を用いることで、体重が増加傾向であるか減少傾向であるかにかかわらず正しい標準日内変動量を定めることができる。
【００９４】
また、本実施の形態では、人の体重は朝から晩にかけて増加し、晩から朝にかけて減少する傾向（図５の（Ａ）および図１３の（Ｂ）参照）を考慮しながら、朝時間から晩時間までの増加量をどの程度に抑えれば良いかの目安である目標晩体重を算出して出力することで、被測定者は、適切な夕食量の情報とともに、１日単位で体重の増減量を管理する支援情報を得ることができる。
【００９５】
以上の構成および動作により、被測定者は、日内の体重変動をどの程度に留めれば良いかを示す目標晩体重と夕食の適量を確認することができ、この目標達成に向けて日内の体重変動の管理を計画的に行なえる。したがって、例えば減量する場合、一日単位という短期間で減量が順調に進んでいるか否かを判断するための情報と、減量を支援するための食事に関する情報を得ることができる。
【００９６】
（夕食の食事内容のアドバイス）
上述のアドバイス提示（ステップＳ３８，ステップＳ３９）では、夕食の量のみならず、以下のように食事内容をアドバイスするようにしてもよい。
【００９７】
被測定者は、夕食毎に、当該夕食で摂取する食事内容（献立など）をカメラ部６で撮影し、その画像データをサーバ５に送信する。また、ＣＰＵ１８１は、毎日の晩体重に基づく上述のステップＳ２８の評価部１８４の評価結果（“ＯＫ”または“ＮＧ”）のデータをサーバ５に送信し、また、ステップＳ３４の判定結果のデータをサーバ５に送信する。この判定結果は、フラグＦで示されて、フラグＦの値は“達成”または“未達成”を指す。
【００９８】
サーバ５のＣＰＵ５２１は、毎日、カメラ部６から受信する夕食の画像データ、および体重体組成計３から受信する評価結果と判定結果を、タイマ５０が計時するこれらの受信日時と関連付けて、レコード５５１として、記憶部５５に格納する。これにより、記憶部５５には、毎夕食の食事内容が、晩体重について目標達成できたか否かの情報と、夕食前の体重が目標達成できているか否かの情報と関連付けして格納されることになる。したがって、評価結果が“ＯＫ”を格納するレコード５５１の画像データは、晩体重が目標を達成した成功パターンの食事内容を表すことになる。ここでは、記憶部５５には十分な件数のレコード５５１が既に格納されていると想定する。
【００９９】
動作において、ステップＳ３６では、アドバイス取得部１８５は“夕食前オーバ時の情報”を要求する要求信号をサーバ５に送信する。サーバ５は、当該要求を受信すると、受信した要求に基づき記憶部５５を検索し、検索結果に基づき評価結果が“ＯＫ”およびフラグＦが“未達成”を指すレコード５５１から画像データを読出し、読出した画像データを体重体組成計３に返信する。体重体組成計３では、アドバイス取得部１８５はサーバ５から受信した画像データを、ステップＳ３９において表示部１５に表示する。これにより、被測定者は、晩体重が目標を達成しうるような成功パターンの食事内容アドバイスを得ることができる。
【０１００】
また、検索結果に基づき評価結果が“ＮＧ”およびフラグＦが“未達成”を指すレコード５５１から画像データを読出し、読出した画像データを表示するようにしてもよい。その場合には、被測定者に対して、晩体重の目標達成のためには避けたい食事内容を提示することができる。
【０１０１】
ステップＳ３５では、アドバイス取得部１８５は“夕食前達成時の情報”を要求する要求信号をサーバ５に送信する。サーバ５は、当該要求を受信すると、受信した要求に基づき記憶部５５を検索し、検索結果に基づき評価結果が“ＯＫ”およびフラグＦが“達成”を指すレコード５５１から画像データを読出し、読出した画像データを体重体組成計３に返信する。体重体組成計３では、アドバイス取得部１８５はサーバ５から受信した画像データを、ステップＳ３８において表示部１５に表示する。これにより、被測定者は、晩体重が目標を達成しうるような成功パターンの食事内容アドバイスを得ることができる。
【０１０２】
また、検索結果に基づき評価結果が“ＮＧ”およびフラグＦが“達成”を指すレコード５５１から画像データを読出し、読出した画像データを表示するようにしてもよい。その場合には、被測定者に対して、晩体重の目標達成のためには避けたい食事内容を提示することができる。
【０１０３】
このように、晩体重が目標を達成し得るような成功パターンの食事内容が夕食前に表示されるので、被測定者に対し、体重管理を食事面から支援するための的確なアドバイスを提供できる。また、提供される画像は食事内容を撮影したものであるから、被測定者は画像から、献立、料理に使用している食材および量も把握することができる。
【０１０４】
また、食事内容を撮影する際に、何かコメント（味付けの程度、調味料、食材、量など）があれば、操作部５３を用いて入力して、その内容をレコード５５１に格納しておくことで、被測定者に対して撮影画像とともにコメントも表示することができる。
【０１０５】
なお、食事内容の画像とコメントは、サーバ５の表示部５４により表示されてもよい。
（変形例）
目標晩体重の算出方法は、ステップＳ２４の算出方法に限定されない。たとえば、図４の（Ｄ）に示す過去の一定期間のレコード４０の夜間変化量４０５Ｃに基づき、夜間変化量の平均（平均夜間変化量という）を算出し、（朝体重＋平均夜間変化量）により目標晩体重を算出するようにしてもよい。なお、この算出に際しては、夜間変化量４０５Ｃの平均値に代替して、中央値または最頻値を用いてもよい。
【０１０６】
上述の実施形態では、体重体組成計３が全ての演算を行ったが、サーバ５が各種演算や出力を行なう構成にしてもよい。
【０１０７】
この場合、体重体組成計３は、ステップＳ３でサーバ５へ体重測定値を測定日時とともにサーバ５へ送信する構成にすればよい。そして、サーバ５の制御部５２のＣＰＵ５２１は、体重体組成計３から体重測定値および測定日時を受け取ると、朝体重や晩体重を含むレコード４０を取得し、図６〜図７のフローチャートに従う処理を実行し、データの記憶は記憶部５５で行い、表示は表示部５４で行なう構成にすればよい。この場合、サーバ５は、表示部５４の画面に表示する情報を体重体組成計３に送信し、体重体組成計３は、この情報を受信して、表示部１５に受信情報を表示するようにしても良い。
【０１０８】
このようにサーバ５で処理を行なう場合でも、目標晩体重および達成度の判定の結果を被測定者に通知することができる。また、サーバ５を用いる場合は、例えば体重管理のカウンセラーなどが確認し、利用者にアドバイスするといった利用も可能になる。
【０１０９】
ステップＳ１とステップＳ２の間で被測定者に操作部１４で朝／晩ボタン（図示せず）を選択入力させる構成にしてもよい。この場合は、入力によって朝体重の測定か晩体重の測定かを判別できる。このため、シフトワーカなど昼夜逆転の生活をしている被測定者であっても本実施の形態に係る体重管理装置を利用できる。
【０１１０】
このように構成した場合、朝／晩ボタンが押下されなければ目標などを表示せずに体重だけを表示するなど、朝／晩ボタンの押下の有無によって表示内容を異ならせるとよい。
これにより、朝／晩ボタンの押し忘れを防止することができる。
【０１１１】
また、上述の実施の形態では、インピーダンス検知部２０で検出する被測定者の生体インピーダンスから基礎代謝量を算出するとしたが、算出される体組成情報は基礎代謝量に限定されない。たとえば、生体インピーダンスと、記憶部１２に記憶された被測定者の身長、年齢、性別と、荷重検知部３３により検出した体重をもとに、体脂肪率、ＢＭＩ、内臓脂肪レベル、骨格筋率、および、体年齢などを算出して、体重とともに出力するようにしてよい。
【０１１２】
本実施の形態では、夕食の食事内容のみを撮影しているが、朝食、昼食および夕食の食事内容を撮影して、晩体重が目標を達成した（“ＯＫ”）と判定された日の朝、昼および夕の食事内容の画像を表示するようにしてもよい。または、晩体重が目標を達成できなかった（“ＮＧ”）と判定された日の朝、昼および夕の食事内容の画像を表示するようにしてもよい。これにより、被測定者の食事内容の傾向から、体重管理を成功に導くための情報を提示することができる。
【０１１３】
また、サーバ５は、記憶部５５に体重増加させやすい食事内容の情報（献立など）と、体重増加させにくい食事内容の情報とを格納し、ステップＳ３５，ステップＳ３６の処理において、体重体組成計３に送信するようにしてもよい。
【０１１４】
［他の実施の形態］
本実施の形態における体重体組成計３が行なう上述した体重管理の方法は、プログラムとして提供することもできる。このようなプログラムは、制御部１８または制御部５２のコンピュータに付属するフレキシブルディスク、ＣＤ−ＲＯＭ（compact disk read only memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１５】
提供されるプログラム製品は、ハードディスクなどのプログラム格納部にインストールされてＣＰＵ１８１（または５２１）により読出されて実行される。なお、プログラム製品は、プログラム自体と、プログラムが記録された記録媒体とを含む。
【０１１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１７】
１  体重管理システム、３  体重体組成計、５  サーバ、６  カメラ部、１８２  目標取得部、１８３  演算部、１８４  評価部、１８５  アドバイス取得部、１８６  出力処理部、１８８  増減量算出部、１８９  目標達成判定部、１９０  変化量算出部。
【図１】
0005736823.tif 000002
【図２】
0005736823.tif 000003
【図３】
0005736823.tif 000004
【図４】
0005736823.tif 000005
【図５】
0005736823.tif 000006
【図６】
0005736823.tif 000007
【図７】
0005736823.tif 000008
【図８】
0005736823.tif 000009
【図９】
0005736823.tif 000010
【図１０】
0005736823.tif 000011
【図１１】
0005736823.tif 000012
【図１２】
0005736823.tif 000013
【図１３】
0005736823.tif 000014